(57)【要約】【課題】キャップ部材とベース部材とで冷蔵庫等を梱包する場合において、被梱包物の上面部に装着されるキャップ部材の位置ずれが起こらないようにする。【解決手段】冷蔵庫等の被梱包物Ｒの上面部に装着されるキャップ部材１０に突起１２を設け、被梱包物Ｒの上面部ｓに起立部材２０を固定し、この起立部材２０の上端面に、突起１２に対応する開孔２１を形成する。被梱包物Ｒをベース部材３０上に載置し、続いてキャップ部材１０を、被梱包物Ｒの上面部ｓに立設した起立部材２０上に装着し、キャップ部材１０の突起１２を、起立部材２０の開孔２１に嵌合させる。これにより、キャップ部材１０の被梱包物Ｒに対する位置決めが容易且つ確実になされる。最後にバンド部材４０を巻き付けて締結すれば、キャップ部材１０、ベース部材３０及び被梱包物Ｒが一体化された梱包構造が完成する。【選択図】      図１
2005075383.tif 000002
【特許請求の範囲】
【請求項１】
被梱包物の上面部に装着されるキャップ部材と、被梱包物が載置されるベース部材と、前記キャップ部材とベース部材との間に架け渡して被梱包物と一体化するためのバンド部材とから成る梱包構造において、前記被梱包物の上面部に孔又は突起を形成し、前記キャップ部材の底面部に、前記被梱包物上面部の孔又は突起と嵌合する突起又は孔を形成したことを特徴とする梱包構造。
【請求項２】
前記キャップ部材は、分割された複数部分から成る請求項１に記載の梱包構造。
【発明の詳細な説明】
【技術分野】
【０００１】
本発明は、キャップ部材とベース部材とで冷蔵庫等を梱包する場合において、被梱包物の上面部にキャップ部材を装着するための構造の改良に関する。
【背景技術】
【０００２】
冷蔵庫等を出荷するに際し、被梱包物の全体をダンボール箱で梱包することが一般に採用されているが、当該梱包構造は、使用後に廃棄されるダンボール量が多いという問題があった。そこで、これを解決するため、ダンボール使用量の削減を目指した梱包構造が、例えば特許文献１により提案されている。特許文献１に記載の梱包構造は、図７の（Ａ）（Ｂ）に示す如く、冷蔵庫等の被梱包物３に透明な保護用袋４を被せ、その基部と上面部とにそれぞれベース部材１及びキャップ部材５を装着し、全体をバンド部材７により締結して一体化するというものである。また図７（Ｃ）（Ｄ）に示されるように、袋４の開口縁部は、ベース部材１に、両面接着テープや接着材８又はステープル９で固定される。なお、ベース部材１及びキャップ部材５それぞれの内面には、発泡スチロールなどの緩衝材２，６が配設され、この緩衝材２，６によって、被梱包物３に対するベース部材１及びキャップ部材５の位置決めがなされている。
【特許文献１】特開２００２−５３１９４公報
【発明の開示】
【発明が解決しようとする課題】
【０００３】
特許文献１に記載された従来の梱包構造にあっては、キャップ部材の被梱包物に対する位置決めが必ずしも確実でなく、位置ずれを招くおそれがあった。
【課題を解決するための手段】
【０００４】
前記従来の問題を解決するために本発明が採用した梱包構造の特徴とするところは、被梱包物の上面部に装着されるキャップ部材と、被梱包物が載置されるベース部材と、前記キャップ部材とベース部材との間に架け渡して被梱包物と一体化するためのバンド部材とから成り、前記被梱包物の上面部に孔又は突起を形成し、前記キャップ部材の底面部に、前記被梱包物上面部の孔又は突起と嵌合する突起又は孔を形成したことである。なお、前記キャップ部材は、分割された複数部分から成るものとすることができる。
【発明の効果】
【０００５】
本発明に係る梱包構造は、前記キャップ部材の底面部と前記被梱包物上面部との間に形成した孔と突起とを嵌合させるものであるから、キャップ部材の位置決めを簡単に行うことができ、しかも、キャップ部材の位置ずれが容易には起こることがない。
【０００６】
キャップ部材を分割された複数部分から成るものとした場合は、幅寸法（あるいは奥行き寸法）の異なる被梱包物にも、共通して使用することが可能となる。また、キャップ部材が小型化するので、省資源化に寄与する。
【発明を実施するための最良の形態】
【０００７】
［第１の実施形態］
図１乃至図４に、本発明に係る梱包構造の一実施形態を示す。同梱包構造は、冷蔵庫等の被梱包物Ｒの上面部に装着されるキャップ部材１０と、被梱包物Ｒが載置されるベース部材３０とから成り、これらをバンド部材４０（図４参照）により締結して一体化するものである。キャップ部材１０は、主要部が例えばダンボールで製作され、底面部の四隅に板等のスペーサー１１が接着剤又はステープルで固着される。またベース部材３０は、例えば板・角材等で構成される。
【０００８】
本例の梱包構造は、図２に示すように、キャップ部材１０に突起１２を設けると共に、被梱包物Ｒの上面部ｓに上記突起１２に対応する開孔２１を形成し、両者を嵌合させるところを特色とする。キャップ部材１０に突起１２を設ける手段としては、底面部に固着したスペーサー１１に、ボルトを螺着して、先端を下方へ突出させる構造が考えられる。他方、被梱包物Ｒの上面部ｓに開孔２１を形成する手段としては、被梱包物上面部ｓに直接孔を穿設してもよいが、図面に例示するような起立部材２０をボルト又は溶接により被梱包物上面部ｓに固定し、この起立部材２０の上端面に開孔２１を形成する構造が考えられる。なお状況によっては、突起１２と開孔２１との関係が反対になるように、スペーサー１１側に孔を穿設し、起立部材２０側にボルトを立設することも妨げない。
【０００９】
なおベース部材３０と被梱包物Ｒとの間にも、前記同様の突起と開孔とから成る嵌合構造を設けることが望ましい。すなわち、図３に示すように、被梱包物Ｒの底面部ｔにボルト等を螺合させて突起２２を設けると共に、ベース部材３０の上面部における突起２２と対応する位置に開孔３１を形成し、両者を嵌合可能とする。
【００１０】
前記の如く構成された本発明に基づき冷蔵庫等の被梱包物Ｒを梱包するには、まず、被梱包物Ｒをベース部材３０上に載置する。このとき。被梱包物Ｒの底面部の突起２２を、ベース部材３０の開孔３１に嵌合させる。続いてキャップ部材１０を、被梱包物Ｒの上面部ｓに立設した起立部材２０上に装着する。このとき、キャップ部材１０の突起１２を、起立部材２０の開孔２１に嵌合させるようにする。これにより、キャップ部材１０の被梱包物Ｒに対する位置決めが容易且つ確実になされる。最後にバンド部材４０を巻き付けて締結すれば、図４に示す通りの、キャップ部材１０、ベース部材３０及び被梱包物Ｒが一体化された梱包構造が完成する。かかる梱包構造のキャップ部材１０は、被梱包物Ｒに対し嵌合構造によって装着されているから、搬送中に振動などを受けても、位置ずれを生じるおそれはない。
【００１１】
［第２の実施形態］
図５及び図６に例示する如く、キャップ部材１０を、複数の分割部分１３，１３から構成することも考えられる。本例では、キャップ部材１０を二分割して、各分割部分１３，１３を、被梱包物Ｒの上面部ｓにおける左右側縁にそれぞれ装着する構成を採用した。但し条件により、三分割、四分割あるいはそれ以上の分割部分とすることも妨げない。
【００１２】
上記キャップ部材１０の各分割部分１３，１３は、例えば合成樹脂や木材で製作され、上面からボルト１４を挿通させて下側へ突出させることにより、起立部材２０の開孔２１と嵌合し得る突起と成している。またキャップ部材１０には、バンド部材４０の架け渡し位置を決めるための溝１５を形成してある。
【００１３】
本例の梱包構造は、キャップ部材１０を二つの分割部分１３，１３から成るものとしたので、被梱包物Ｒの幅寸法が異なるものに対し、同一のキャップ部材１０を共通して用いることができるという利点が得られる。またキャップ部材１０の分割部分１３，１３を、被梱包物Ｒ上面部ｓの前後端縁に装着する構成を採用した場合は、奥行き寸法の異なる被梱包物Ｒに対し、共通のキャップ部材１０を適用することが可能となる。さらにキャップ部材１０を四分割して、被梱包物上面部ｓにおける四隅部に配設する構成を採用した場合は、被梱包物Ｒの幅寸法・奥行き寸法の両方が異なっても、一種類のキャップ部材１０で対応することが可能である。
【産業上の利用可能性】
【００１４】
本発明は、冷蔵庫のほか、冷凍機や洗浄機などの梱包構造に適用することができる。
【図面の簡単な説明】
【００１５】
【図１】本発明に係る梱包構造の第１の実施形態に関するものであって、キャップ部材、ベース部材及び被梱包物を分解して示す斜視図である。
【図２】本発明に係る梱包構造の第１の実施形態に関するものであって、一部切り欠いたキャップ部材と、被梱包物の上面部とを示す斜視図である。
【図３】本発明に係る梱包構造の第１の実施形態に関するものであって、ベース部材と、被梱包物の基部とを示す斜視図である。
【図４】本発明に係る梱包構造の第１の実施形態に関するものであって、キャップ部材、ベース部材及び被梱包物をバンド部材で一体的に締結した梱包状態を示す斜視図である。
【図５】本発明に係る梱包構造の第２の実施形態に関するものであって、キャップ部材と被梱包物の上面部とを示す斜視図である。
【図６】本発明に係る梱包構造の第２の実施形態に関するものであって、キャップ部材が被梱包物の上面部にバンド部材で一体的に締結された梱包状態を示す斜視図である。
【図７】特許文献１（特開２００２−５３１９４公報）に記載された従来の梱包構造を示すものであって、図（Ａ）は梱包前の状態を分解して示す斜視図、図（Ｂ）は梱包状態を示す斜視図、図（Ｃ）及び図（Ｄ）は被梱包物とベース部材とを示す要部の平面断面図である。
【符号の説明】
【００１６】
Ｒ…被梱包物
ｓ…被梱包物の上面部
ｔ…被梱包物の底面部
１０…キャップ部材
１２…突起
１３…分割部分
２０…起立部材
２１…開孔
３０…ベース部材
３１…開孔
４０…バンド部材
【図１】
2005075383.tif 000003
【図２】
2005075383.tif 000004
【図３】
2005075383.tif 000005
【図４】
2005075383.tif 000006
【図５】
2005075383.tif 000007
【図６】
2005075383.tif 000008
【図７】
2005075383.tif 000009